(57)【要約】      （修正有）【課題】現在の温度を示すことができ、設定温度に達するとユーザが直ちにアイロン掛けを始めることができる電気アイロンを提供する。【解決手段】温度センサーは、コントロールパネルに接続されて、その結果として回路ボードに接続される。コントロールパネルは、同期温度ディスプレイ２と、温度設定ボタンと、複数の温度設定インジケータと、を有している。温度設定ボタンは所望の温度を設定するために用いられる。また、同期温度ディスプレイはアイロン掛けの際に底板１０における実際の温度を示すために用いられる。【選択図】図１
0003160112.tif 000002
【実用新案登録請求の範囲】
【請求項１】
底板と、
底板に装着される加熱エレメントと、
底板の温度を測定する温度センサーと、
温度センサーに連結されて底板における温度を同期表示する温度ディスプレイと、
を備える電気アイロンであって、
底板は、底板の内面から上方へ延びるとともに温度センサーを取り囲んでいるつば部を有しており、加熱エレメントは、底板上で底板の縁部とつば部との間に延びており、少なくとも加熱エレメントの一部はつば部に隣接して配置されている電気アイロン。
【請求項２】
請求項１に記載の電気アイロンであって、加熱エレメントは、底板の第１縁部とつば部の一方の側と間で延びている第１セクションと、底板の第２縁部とつば部の反対の側との間に延びている第２セクションと、を備えており、加熱エレメントの第１および第２セクションのそれぞれの中央部分が、つば部に向かって湾曲している電気アイロン。
【請求項３】
請求項１に記載の電気アイロンであって、つば部の形状は概ね楕円形である電気アイロン。
【請求項４】
請求項１に記載の電気アイロンであって、さらに、複数の温度範囲を設定する温度設定ボタンと、温度設定のモードを示す複数の温度設定インジケータと、を有するコントロールパネルを備える電気アイロン。
【請求項５】
請求項４に記載の電気アイロンであって、複数の温度範囲には、絹のアイロン掛けに適している約９０〜１２０℃の温度範囲と、ポリエステルのアイロン掛けに適している１２０〜１５０℃の温度範囲と、綿のアイロン掛けに適している約１５０〜２００℃の温度範囲と、リネンのアイロン掛けに適している約２００〜２３０℃の温度範囲と、が含まれている電気アイロン。
【請求項６】
請求項１に記載の電気アイロンであって、温度センサーは、底板の内面上にその中心で形成された孔部に配置されている電気アイロン。
【請求項７】
請求項１に記載の電気アイロンであって、温度センサーは負温度係数温度センサーである電気アイロン。
【請求項８】
底板と、
底板の温度を測定する温度センサーと、
温度センサーに連結されて底板における温度を同期表示する温度ディスプレイと、
を備える電気アイロン。
【請求項９】
請求項８に記載の電気アイロンであって、底板は、底板の内面から上方へ延びるとともに温度センサーを取り囲んでいるつば部を有する電気アイロン。
【請求項１０】
請求項９に記載の電気アイロンであって、さらに、加熱エレメントは、底板上で底板の縁部とつば部との間に延びており、少なくとも加熱エレメントの一部はつば部に隣接して配置されている電気アイロン。
【請求項１１】
請求項１０に記載の電気アイロンであって、加熱エレメントは、底板の第１縁部とつば部の一方の側と間で延びている第１セクションと、底板の第２縁部とつば部の反対の側との間に延びている第２セクションと、を備えており、加熱エレメントの第１および第２セクションのそれぞれの中央部分が、つば部に向かって湾曲している電気アイロン。
【請求項１２】
請求項９に記載の電気アイロンであって、つば部の形状は概ね楕円形である電気アイロン。
【請求項１３】
請求項８に記載の電気アイロンであって、さらに、複数の温度範囲を設定する温度設定ボタンと、温度設定のモードを示す複数の温度設定インジケータと、を有するコントロールパネルを備える電気アイロン。
【請求項１４】
請求項８に記載の電気アイロンであって、温度センサーは、底板の内面上にその中心で形成された孔部に配置されている電気アイロン。
【請求項１５】
請求項８に記載の電気アイロンであって、温度センサーは負温度係数温度センサーである電気アイロン。
【考案の詳細な説明】
【技術分野】
【０００１】
本願は、２００９年４月８日に出願した米国仮出願６１／１６７，８６５号の優先権を主張し、内容のすべてを参照によってここに援用する。
【０００２】
本実用新案出願は、同期温度ディスプレイを有する電気アイロンに関する。
【背景技術】
【０００３】
従来の電気アイロンは、異なる材料で作られた衣類のアイロン掛けのために異なる温度を設定する回転可能な温度設定ダイヤルを有する。アイロン掛け温度をアイロン掛けの際に低から高あるいは高から低へ設定する必要がある場合、ユーザはある位置から他の位置へダイヤルを回転させることができる。しかしながら、これらの従来の電気アイロンは、底板が設定温度に達するのにどれくらい時間がかかるかをユーザに正確に示すためどのような手段も提供していなかった。ユーザは、底板の実際の現在の温度はどれくらいか、また、アイロン掛けの準備ができているどうかまったくわからなかった。従って、ユーザは、実際、底板温度がまだ高すぎるあるいは低すぎる可能性のあるときにアイロン掛けを始めようとする傾向があった。不適当な底板温度でのアイロン掛けは、アイロン掛けする衣類にあきらかにダメージをもたらす場合がある。
【考案の概要】
【考案が解決しようとする課題】
【０００４】
底板で実際の現在の温度を示すことができ、設定温度に達するとユーザが直ちにアイロン掛けを始めることができる、改善された電気アイロンを提供するニーズがある。
【０００５】
背景技術の上記説明は、本実用新案出願において開示する同期温度ディスプレイを有する電気アイロンの理解を助けるためのものであって、妥当な従来技術を記述あるいは構成することを自認するものではない。
【課題を解決するための手段】
【０００６】
一の面では、提供される電気アイロンは、底板と、底板に装着される加熱エレメントと、底板の温度を測定する温度センサーと、温度センサーに連結されて底板における温度を同期表示する温度ディスプレイと、を有する電気アイロンであって、底板は、底板の内面から上方へ延びるとともに温度センサーを取り囲んでいるつば部を有しており、加熱エレメントは、底板上で底板の縁部とつば部との間に延びており、少なくとも加熱エレメントの一部はつば部に隣接して配置されている。
【０００７】
一の態様では、加熱エレメントは、底板の第１縁部とつば部の一方の側と間で延びている第１セクションと、底板の第２縁部とつば部の反対の側との間に延びている第２セクションと、を有しており、加熱エレメントの第１および第２セクションのそれぞれの中央部分が、つば部に向かって湾曲している。
【０００８】
一の態様では、つば部の形状は概ね楕円形である。
【０００９】
一の態様では、電気アイロンは、温度ディスプレイと温度センサーとの間を接続する回路ボードをさらに有している。
【００１０】
一の態様では、回路ボードは、底板における温度と温度ディスプレイ上の温度の同期表示とを制御するマイクロコントローラユニットを備える。
【００１１】
一の態様では、電気アイロンは、さらに、複数の温度範囲を設定する温度設定ボタンと、温度設定のモードを示す複数の温度設定インジケータと、を有するコントロールパネルを有する。
【００１２】
一の態様では、複数の温度範囲には、絹のアイロン掛けに適している約９０〜１２０℃の温度範囲と、ポリエステルのアイロン掛けに適している１２０〜１５０℃の温度範囲と、綿のアイロン掛けに適している約１５０〜２００℃の温度範囲と、リネンのアイロン掛けに適している約２００〜２３０℃の温度範囲と、が含まれる。
【００１３】
一の態様では、温度センサーは、底板の内面上にその中心で形成された孔部に配置されている。
【００１４】
一の態様では、温度センサーは負温度係数温度センサーである。
【００１５】
一の態様では、温度ディスプレイはＬＥＤディスプレイである。
【００１６】
他の面では、提供される電気アイロンは、底板と、底板の温度を測定する温度センサーと、温度センサーに連結されて底板における温度を同期表示する温度ディスプレイと、を有する。
【００１７】
一の態様では、底板は、底板の内面から上方へ延びるとともに温度センサーを取り囲んでいるつば部を有する。
【００１８】
一の態様では、電気アイロンは、底板上で底板の縁部とつば部との間に延びる加熱エレメントを有しており、少なくとも加熱エレメントの一部はつば部に隣接して配置されている。
【００１９】
一の態様では、加熱エレメントは、底板の第１縁部とつば部の一方の側と間で延びている第１セクションと、底板の第２縁部とつば部の反対の側との間に延びている第２セクションと、を有しており、
加熱エレメントの第１および第２セクションのそれぞれの中央部分が、つば部に向かって湾曲している。
【００２０】
一の態様では、つば部の形状は概ね楕円形である。
【００２１】
一の態様では、電気アイロンは、温度ディスプレイと温度センサーとの間を接続する回路ボードをさらに有している。
【００２２】
一の態様では、回路ボードは、底板における温度と温度ディスプレイ上の温度の同期表示とを制御するマイクロコントローラユニットを備える。
【００２３】
一の態様では、電気アイロンは、さらに、複数の温度範囲を設定する温度設定ボタンと、温度設定のモードを示す複数の温度設定インジケータと、を有するコントロールパネルを有する。
【００２４】
一の態様では、複数の温度範囲には、絹のアイロン掛けに適している約９０〜１２０℃の温度範囲と、ポリエステルのアイロン掛けに適している１２０〜１５０℃の温度範囲と、綿のアイロン掛けに適している約１５０〜２００℃の温度範囲と、リネンのアイロン掛けに適している約２００〜２３０℃の温度範囲と、が含まれる。
【００２５】
一の態様では、温度センサーは、底板の内面上にその中心で形成された孔部に配置されている。
【００２６】
一の態様では、温度センサーは負温度係数温度センサーである。
【００２７】
一の態様では、温度ディスプレイはＬＥＤディスプレイである。
【００２８】
本実用新案出願において開示する同期温度ディスプレイを有する電気アイロンの特定の態様を、例示の目的で、添付図面を参照して説明する。
【図面の簡単な説明】
【００２９】
【図１】図１は、同期温度ディスプレイを有する電気アイロンの斜視図である。
【図２】図２は、本実用新案出願において開示する実施形態にかかる同期温度ディスプレイを有する電気アイロンの底板の断面図である。
【図３】図３は、電気アイロンの同期温度ディスプレイの平面図である。
【図４】図４は、温度の異なる設定を示す、図３と同様な、電気アイロンの同期温度ディスプレイの平面図である。
【図５】図５は、温度センサーおよび同期温度ディスプレイを有する底板の斜視図である。
【図６】図６は、温度センサーを有する底板の斜視図である。
【図７】図７は、加熱エレメントを有する底板の斜視図である。
【考案を実施するための形態】
【００３０】
次に、本実用新案出願において開示する同期温度ディスプレイを有する電気アイロンの好ましい形態の説明を詳細に行う。好ましい形態の例もまた以下に説明する。本実用新案出願において開示する同期温度ディスプレイを有する電気アイロンの例示的な実施形態を詳細に説明するが、モジュールのツールシステムの理解にとって特に重要でないいくつかの特徴を明瞭のために示していないこともあることは当業者には理解されよう。
【００３１】
さらに、本実用新案出願において開示する同期温度ディスプレイを有する電気アイロンは、後述する詳細な実施形態に限定されず、添付の請求項の精神あるいは範囲を逸脱することなく種々の変形および変更を当業者によってなしうることは、理解されよう。例えば、異なる例示的な実施形態のエレメントおよび／または特徴を、添付の請求項の範囲内で、互いに組み合わせること、かつ／または、互いに置き換えることができる。
【００３２】
図１は、ハンドル３上に配置された同期温度ディスプレイ２を有する電気アイロン１の斜視図である。図２は、本実用新案出願において開示する実施形態にかかる電気アイロン１の底板１０と、コントロールパネル１２と、回路ボード１４との断面図である。コントロールパネル１２を、ハンドル３あるいはアイロン掛けの際にユーザが見やすい電気アイロンのボディ上で配置することができる。底板１０には、負温度係数（ＮＴＣ）温度センサー１６あるいは他の適当な温度センサーを配置することができる。ＮＴＣ温度センサー１６を、底板１０の内面上にその中心で形成された孔部に配置することができる。ＮＴＣ温度センサー１６を、電気ワイヤ１５によって回路ボード１４に電気的に接続することができ、その結果としてコントロールパネル１２に電気的に接続する。
【００３３】
コントロールパネル１２は、同期温度ＬＥＤディスプレイ１８あるいは他の適当なディスプレイと、パワーインジケータ２０と、温度設定ボタン２２と、複数の温度設定インジケータ２４，２６，２８，３０と、を有することができる。同期温度ＬＥＤディスプレイ１８は、アイロン掛けの際に底板１０における実際の現在の温度をユーザに示すために用いられる。温度設定ボタン２２を、底板１０における所望の温度範囲を設定するために用いることができる。図３および図４に示す例示した実施形態では、４つの温度範囲をそれぞれ示すための４つの温度設定インジケータ２４，２６，２８，３０がある。
【００３４】
電力が電気アイロン１に供給されているとき、電気アイロンはスタンバイモードにある。このスタンバイモードにおいては、パワーボタン２０が点灯し、また、「ＯＦＦ」という語をＬＥＤディスプレイ１８上に表示することもできる。
【００３５】
ユーザは所望の温度範囲を設定するために温度設定ボタン２２を押すことができる。例えば、温度設定ボタン２２が一回押されると、第１温度設定インジケータ２４は明滅し始めることができ、温度を絹のアイロン掛けに適している９０〜１２０℃の範囲に設定することができる。温度設定ボタン２２が一回より多く押されると、第２温度設定インジケータ２６は明滅し始めることができ、温度をポリエステルのアイロン掛けに適している１２０〜１５０℃の範囲に設定することができる。温度設定ボタン２２が再び押されると、第３温度設定インジケータ２８は明滅し始めることができ、温度を綿のアイロン掛けに適している１５０〜２００℃の範囲に設定することができる。温度設定ボタン２２が一回より多く押されると、第４温度設定インジケータ３０は明滅し始めることができ、温度をリネンのアイロン掛けに適している２００〜２３０℃の範囲に設定することができる。温度設定ボタン２２が一回より多く押されると、第１温度設定インジケータ２４が再び明滅し始めることができ、温度を絹のアイロン掛けに適している９０〜１２０℃の範囲に設定することができる等である。
【００３６】
所望の温度範囲が設定された後、回路ボード１４上のマイクロコントローラユニット（ＭＣＵ）は底板１０のＮＴＣ温度センサー１６で温度を検出し始めることができる。ＮＴＣ温度センサー１６は、ＮＴＣ温度センサー１６の温度がアイロンがかけられる衣類と当接する底板１０の下部表面上の温度と同じとなる底板１０の下部に配置されることは理解されよう。
【００３７】
ＮＴＣ温度センサー１６の温度が設定された温度範囲より低い場合、設定された温度範囲に対応する温度設定インジケータ２４，２６，２８あるいは３０がゆっくり明滅し始めることもできる。底板１０における実際の現在の温度を、同期温度ＬＥＤディスプレイ１８上に表示することができる。加熱エレメント４０の電気回路を接続することができ、そして、加熱エレメント４０によって熱が発生し、これにより、底板１０を加熱することができる。
【００３８】
ＮＴＣ温度センサー１６の温度が設定された温度範囲に達すると、設定された温度範囲に対応する温度設定インジケータ２４，２６，２８あるいは３０が明滅を停止し点灯したままとなり、そして、底板１０における実際の現在の温度を同期温度ＬＥＤディスプレイ１８上に表示することができる。
【００３９】
ＮＴＣ温度センサー１６における温度が設定された温度範囲より高い場合、設定された温度範囲に対応する温度設定インジケータ２４，２６，２８あるいは３０が速く明滅し始めることもできる。底板１０における実際の現在の温度を、同期温度ＬＥＤディスプレイ１８上に表示することができる。加熱エレメント４０の電気回路は遮断され、そして、熱の発生を停止することができる。
【００４０】
例えば、図３に例示するように、温度範囲は、ポリエステルのアイロン掛けのための１２０〜１５０℃で設定される。同期温度ＬＥＤディスプレイ１８上で示すように、底板１０における実際の現在の温度が１０６℃であるので、温度設定インジケータ２６はゆっくり明滅し始める。これにより、底板温度がポリエステルのアイロン掛けには十分に熱くないことを、ユーザに伝える。加熱エレメントが１２０℃の温度までの底板１０を加熱すると、そのとき、温度設定インジケータ２６は明滅を停止し点灯したままとなる。これにより、底板温度がポリエステルのアイロン掛けに十分に熱く、アイロン掛けが始められることを、ユーザに伝える。
【００４１】
図４は、温度範囲がリネンのアイロン掛けのため２００〜２３０℃に設定されており、そして、底板１０における実際の現在の温度がアイロン掛けには十分に熱い設定された温度範囲内にある２０８℃であることを示している。
【００４２】
本願において開示する同期温度ディスプレイを有する電気アイロンを用いる利点は、アイロン掛けプロセスの際に底板の実際の温度をいつでも示すことができるということにある。これにより、ユーザが正しい温度で異なる材料の衣類にアイロンをかけることができることが保証される。例えば、綿のアイロン掛けのための１５０〜２００℃の範囲の高温を設定した後、ユーザは絹のアイロン掛けのために９０〜１２０℃の範囲まで底板の温度を低下させたい場合がある。同期温度ディスプレイを有する電気アイロンによって、ユーザは、絹のアイロン掛けに適している９０〜１２０℃の範囲に温度を設定することができ、同期温度ＬＥＤディスプレイに現われる実際の底板温度が、９０〜１２０℃まで低下した後にのみ、アイロンをかけ始めることができる。これにより、底板における実際の温度がまだあまりにも高い場合に、絹にアイロンをかける可能性を回避することができる。これに対して、回転可能な温度設定ダイヤルのみを有する従来の電気アイロンは、底板における実際の温度を表示する同期温度ディスプレイを有していない。綿にアイロンをかけるためにダイヤルを高温に回した後、ユーザはダイヤルを絹にアイロンをかけるのに適している低温に回すことだけができる。しかしながら、ユーザに、底板における温度が実際に絹にアイロンをかけるのに適している所望の低温まで低下したかどうかを伝えることができないことになる。従って、ユーザが、絹で作られた衣類に高すぎる温度でアイロンをかけるという可能性がある。このことは、アイロンがかけられた衣類にダメージを与えることになろう。
【００４３】
図５乃至図７に示すように、底板１０には、底板１０の内面５２から上方へ延びるとともに温度センサー１６を取り囲んでいる、一体的に形成されたつば部５０を配置することができる。つば部５０の形状を概ね楕円形とできる。
【００４４】
加熱エレメント４０を底板１０に装着することができる。少なくとも加熱エレメント４０の一部は内側に湾曲しており、つば部５０に隣接して配置される。例示する実施形態では、加熱エレメント４０は、底板１０の第１縁部１０ａとつば部５０の一方の側５０ａと間で延びている第１セクション４０ａと、底板１０の第２縁部１０ｂとつば部５０の反対の側５０ｂとの間に延びている第２セクション４０ｂと、を有する。加熱エレメント４０の第１および第２セクション４０ａ，４０ｂの中央部分４０ｃ，４０ｄは、それぞれ、つば部５０に向かって湾曲して概して頸状（ｎｅｃｋ−ｓｈａｐｅｄ）部分とすることができる。
【００４５】
加熱エレメント４０およびつば部５０は、底板１０における温度と温度ＬＥＤディスプレイ１８上に表示された温度との間の相違をもたらす、底板１０の中心における温度の速すぎる低下を防止することができる。加熱エレメント４０の内側湾曲部分は、ＮＴＣ温度センサー１６が配置される底板１０の中心を加熱することができ、これにより、底板の中心における温度を底板の残りの部分における温度と十分に等しくすることができる。さらに、つば部５０は、加熱エレメント４０からの熱を多く吸収することができ、これにより、底板１０における温度と温度ＬＥＤディスプレイ１８上に表示された温度との間の相違をもたらす、底板１０の中心における温度の速すぎる低下を防止することができる。
【００４６】
つば部５０の形状を概ね楕円形として図示し説明したが、つば部５０を円など他の適切な形状にすることができることは当業者には理解されよう。
【００４７】
本実用新案出願において開示する同期温度ディスプレイを有する電気アイロンをいくつかの好ましい実施形態を特に参照して図示し説明したが、添付の請求項から逸脱することなく種々の変形および変更を行うことができることを付言しておく。
【符号の説明】
【００４８】
１  電気アイロン
２  同期温度ディスプレイ
３  ハンドル
１０  底板
１０ａ  第１縁部
１０ｂ  第２縁部
１２  コントロールパネル
１４  回路ボード
１５  電気ワイヤ
１６  ＮＴＣ温度センサー
１８  同期温度ＬＥＤディスプレイ
２０  パワーインジケータ
２２  温度設定ボタン
２４，２６，２８，３０  温度設定インジケータ
４０  加熱エレメント
４０ａ  第１セクション
４０ｂ  第２セクション
４０ｃ，４０ｄ  中央部分
５０  つば部
５０ａ  一方の側
５０ｂ  反対の側
５２  内面
【図１】
0003160112.tif 000003
【図２】
0003160112.tif 000004
【図３】
0003160112.tif 000005
【図４】
0003160112.tif 000006
【図５】
0003160112.tif 000007
【図６】
0003160112.tif 000008
【図７】
0003160112.tif 000009